(57)【要約】【課題】  ダウンロードされたコンテンツデータの詳細な情報をユーザーにわかり易く明示することで利便性を向上させる。【解決手段】  ダウンロードされたコンテンツデータの詳細な情報を表示またはプリント出力する手段をもつ。【選択図】  図１
2005094285.tif 000002
【特許請求の範囲】
【請求項１】
インターネットに接続するインターネット接続手段、前記インターネット接続手段によりインターネットを介しコンテンツデータを取得するコンテンツ取得手段、前記コンテンツデータの属性情報を管理するコンテンツ情報管理手段とを有し、
前記記憶手段により記憶された複数のコンテンツデータの詳細情報を前記コンテンツ情報管理手段により管理された情報から抽出する詳細情報抽出手段と、前記詳細情報抽出手段により抽出された情報を表示部に表示する詳細表示手段を持つことを特徴とする情報通信端末。
【請求項２】
前記詳細表示手段はユーザーの指示によって起動するユーザー指示手段を備えたことを特徴とする請求項１に記載の情報通信端末。
【請求項３】
インターネットに接続するインターネット接続手段、前記インターネット接続手段によりインターネットを介しコンテンツデータを取得するコンテンツ取得手段、前記コンテンツデータの属性情報を管理するコンテンツ情報管理手段とを有し、
前記記憶手段により記憶された複数のコンテンツデータの詳細情報を前記コンテンツ情報管理手段により管理された情報から抽出する詳細情報抽出手段と、前記詳細情報抽出手段により抽出された情報を印字データに変換しプリント出力する一覧プリント出力手段を持つことを特徴とする情報通信端末。
【請求項４】
前記一覧プリント出力はユーザーの指示によって起動するユーザー指示手段を備えたことを特徴とする請求項１に記載の情報通信端末。
【発明の詳細な説明】
【技術分野】
【０００１】
本発明は、ネットワーク経由でサーバからコンテンツデータを取得し印刷やデータのメール送信などを行う情報通信端末に関するものである。
【背景技術】
【０００２】
従来、家庭用の留守番電話端末やファクシミリ装置など一般の公衆回線を介し、インターネットに接続してネットワーク上のサーバにある各種コンテンツ、音楽データや画像、あるいはテキスト情報などを取得（以下、ダウンロードとも称す）することが可能な情報通信端末が現れてきた。このような情報通信端末ではダウンロードした各種コンテンツデータを印刷する、メール送信する、端末装置内の表示部に表示するなどの利用法が考えられてきている。そしてこのようなコンテンツデータを利用する場合、ダウンロードしたコンテンツのデータ一覧を端末の表示部、例えば液晶表示部に表示し、ユーザーは表示された内容をもとに印刷やメール送信などを端末に対して指示することが一般的である。
【特許文献１】特開２００３−０９２６５１号公報
【発明の開示】
【発明が解決しようとする課題】
【０００３】
しかしながら、ユーザーが所望の指示をコンテンツに対して行うときに便利なように、ダウンロードしたコンテンツデータについて、ファイル名や曲名等を確認することができてもそれぞれのコンテンツデータについての詳細情報、例えばダウンロードによって取得した日時や著作権情報等を確認することができるような端末はなかった。
【課題を解決するための手段】
【０００４】
本発明は上記の課題を鑑みて考案されたものであり、請求項１に係わる発明によればインターネットに接続するインターネット接続手段、前記インターネット接続手段によりインターネットを介しコンテンツデータを取得するコンテンツ取得手段、前記コンテンツデータの属性情報を管理するコンテンツ情報管理手段とを有し、前記記憶手段により記憶された複数のコンテンツデータの詳細情報を前記コンテン情報管理手段により管理された情報から抽出する詳細情報抽出手段と、前記詳細情報抽出手段により抽出された情報を表示部に表示する詳細表示手段を持つことを特徴としている。また請求項３に係わる発明によれば、インターネットに接続するインターネット接続手段、前記インターネット接続手段によりインターネットを介しコンテンツデータを取得するコンテンツ取得手段、前記コンテンツデータの属性情報を管理するコンテンツ情報管理手段とを有し、前記記憶手段により記憶された複数のコンテンツデータの詳細情報を前記コンテン情報管理手段により管理された情報から抽出する詳細情報抽出手段と、前記詳細情報抽出手段により抽出された情報を印字データに変換しプリント出力する一覧プリント出力手段とを持つことを特徴としている。
【０００５】
以上のような発明により端末に複数保存されたコンテンツの概要をユーザーが把握し易く利便性の高い製品を提供している。
【発明の効果】
【０００６】
以上述べてきたように、本発明によれば、ユーザーがダウンロードしたコンテンツに対する所望の指示を行うとき、コンテンツのダウンロード時に取得した属性情報を管理し、それぞれのコンテンツに対して、ユーザーが把握し易いよう詳細な情報を表示したり、また一覧にしてプリント出力したりすることで利便性を向上させることができるという効果がある。
【発明を実施するための最良の形態】
【０００７】
(実施例)
図１は、本実施例におけるファクシミリ装置の構成を示すブロック図である。
【０００８】
１０１は原稿を光学的に読み取って画像データに変換する画像読み取り部、
１０２はファクシミリ装置全体の制御を行うＣＰＵ、
１０３はＣＰＵ１０２の動作プログラムを格納するＲＯＭ、
１０４はＣＰＵ１０２のワークメモリとなったり受信したデータを格納したりするＲＡＭ、
１０５は画像読み取り部１０１で読み取った画像や通信回線経由で受信して得た画像データをプリントするプリンタ、
１０６はビットマップデータの表示が可能な表示部、
１０７はユーザーがキーなどでファクシミリの操作を行う操作部、
１０８は通信回線経由でデータの送受信を行うためのデータモデム、
１０９は通信回線経由でファクシミリの送受信を行うためのＦＡＸモデム、
１１０は通信回線から受信するデータをデータモデム１０８またはＦＡＸモデム１０９に振り分けるためのクロスポイントスイッチである。
【０００９】
図２は、本システムの構成、およびコンテンツのダウンロード処理をシーケンスで表した図である。
【００１０】
２０１は、ページ情報など、クライアントとの間で情報を更新するＷｅｂサーバと、印刷用画像データなど、各種コンテンツをもつＤＬ（ダウンロード）サーバからなるコンテンツサーバで、２０２はファクシミリ装置、２０３はインターネット、２０４はＧＷ（ゲートウェイ）である。
【００１１】
コンテンツサーバ２０１とファクシミリ装置２０２は、公衆回線などの回線で接続され、ファクシミリ装置２０２からは、例えばダイヤルアップによりＧＷ２０４に接続し、このＧＷ２０４経由でインターネット３上にあるＷｅｂサーバ２０５や、ＤＬサーバ２０６に接続される。
【００１２】
ファクシミリ装置２０２は、新しいページ情報を接続しているＷｅｂサーバに要求すると、Ｗｅｂサーバ２０５は指定されたページ情報をファクシミリ装置２０２に送信し、ファクシミリ装置２０２は、ＨＴＭＬなどマークアップ言語で書かれたページ情報を受信すると、その情報を解読して表示用データに変換し、表示部で表示する。
【００１３】
ファクシミリ装置２０２内の２０７は表示部による表示内容であり、２０７は見ているページに印刷用のコンテンツがある場合、ダウンロードを促す表示例であり、これによりユーザーにダウンロード、プリント出力を選択させる。
【００１４】
この場面でダウンロードが選択されると、そのページに書かれているコンテンツの属性を取得し、ダウンロードの可否判断を行う。属性情報としては、ファイル属性（ＪＰＥＧ／ＧＩＦ／ＴＥＸＴ等）、ファイルサイズ、縦横サイズ、解像度、フォントタイプ（明朝／ゴシック等）などで、例えばファクシミリ装置２０２で受信できる残りメモリ容量と、ダウンロードするコンテンツのファイルサイズを比較し、ダウンロードするコンテンツのファイルサイズの方が大きければ受信不可とし、ダウンロードができない旨を表示、その後ページ情報の表示を続行する。
【００１５】
ここで、ユーザーにダウンロードの開始を指示されると、ファクシミリ装置２０２は自身の装置性能など示す端末情報（ＵｓｅｒＡｇｅｎｔ）や、パスワード情報を含むコンテンツのダウンロード要求をＷｅｂサーバ２０５に配信するとともに、ダウンロードを開始する旨の表示を出し、ユーザーに通知する。
【００１６】
Ｗｅｂサーバ２０５はファクシミリ装置２０２からダウンロードの要求を受けると、端末情報と指示内容から配信の可否を判断し、配信可能であればコンテンツを選択してＤＬサーバ２０６から配信する。
【００１７】
ファクシミリ装置２０２は配信されてくるコンテンツをメモリに受信しながら、そのコンテンツの属性情報から復元処理を行う。復元処理は、例えばコンテンツがＪＰＥＧファイルであれば、ＪＰＥＧデコーダを使って復元を行い、正しく復元できるか否かを確認する。
【００１８】
ダウンロード処理、および復元処理が終わると、復元処理の結果を確認し、正常に復元出力可能と判断した場合にはその旨Ｗｅｂサーバ２０５に通知する。
【００１９】
Ｗｅｂサーバ２０５はファクシミリ装置２０２からダウンロードの正常復元終了通知を受けると、コンテンツが正常に復元できたものとして課金などのコンテンツ配信確定処理を行う。
【００２０】
以上のようにダウンロードしたコンテンツデータをファクシミリ装置内のメモリに蓄積する。
【００２１】
ここで、本実施例のファクシミリ装置におけるメモリ構成について図３、図４を用いて説明する。
【００２２】
図３は本ファクシミリ装置のメモリ構成を示した図である。
【００２３】
３０１はデコード用のバッファで、符号化されたＦＡＸ画像やダウンロードしたコンテンツの復号処理に使用する領域である。
【００２４】
３０２はブラウザキャッシュで、サーバからのＨＴＭＬなどで記述されたページ情報を格納する領域である。１度前に見たページに戻る際、再度サーバとの交信を行わずに済むように、複数ページ分格納できる領域を確保している。ブラウザキャッシュはページ分割された所定のページ分格納されると、次ページからは古い順に上書きされる。
【００２５】
３０３はダウンロード領域で、特にダウンロードした印刷用コンテンツを格納する領域である。印刷用コンテンツはサイズが不定であることと、無条件で上書き処理を行わせないため、ブラウザキャッシュとは領域を分けている。
【００２６】
３０４はＦＡＸ画像領域である。受信したＦＡＸ画像や送信待ちのＦＡＸ画像など、符号化されたＦＡＸ画像データが格納される。
【００２７】
３０５は留守録音や通話録音した音声データを格納する領域である。音声はデジタル変換され、圧縮符号化されて格納される。
【００２８】
３０６はプレビュー用バッファである。ＦＡＸ受信画像やダウンロードした印刷用コンテンツを表示用のデータに変換して格納する際に使用する。
【００２９】
３０７はＶＲＡＭである。端末が持つ各種情報や、ブラウザがブラウザキャッシュに格納されたページ情報を解読して表示データに変換した情報、あるいはＦＡＸ受信画像やダウンロードした印刷用コンテンツを表示用のデータに変換した情報、などが格納される。ＶＲＡＭのデータは周期的に、あるいはデータが書き換えられた時に表示部に反映される。
【００３０】
３０８はダウンロードしたコンテンツの管理情報を格納する領域である。
【００３１】
図４は本ファクシミリ装置のメモリ構成中、ダウンロードしたコンテンツの管理情報を示した図である。
【００３２】
管理情報は、ダウンロードした印刷用のコンテンツ毎に生成され、そのコンテンツに関する各種情報を動的に管理する。管理する内容は以下の通りである。
【００３３】
コンテンツ状態：そのコンテンツが現在未使用状態か使用中状態かを示す情報。
【００３４】
コンテンツＩＤ：ダウンロードしたコンテンツに対しユニークに割り当てられるコードで、ファイルシステムを介してダウンロードしたコンテンツファイルをオープン／クローズする際、そのファイルを指定するのに使用する。
【００３５】
ダウンロード時間：印刷用コンテンツをダウンロードして格納した時間。
【００３６】
印刷指定回数：印刷用コンテンツの最大印刷回数。
【００３７】
印刷回数：実際印刷した回数。
【００３８】
最終印刷日時：最近印刷した日時情報。
【００３９】
ファイル名：ダウンロードしたコンテンツファイルのファイル名。
ファイル属性：ダウンロードしたコンテンツファイルの属性。属性としては、ＪＰＥＧ／ＧＩＦ／ＴＥＸＴなどファイルの種類。
【００４０】
ファイルサイズ：ダウンロードしたコンテンツファイルのサイズ。
【００４１】
ページ数：ダウンロードしたコンテンツファイルのページ数。
【００４２】
フォントタイプ：テキストフォントのタイプ。
【００４３】
縦横サイズ：ダウンロードしたコンテンツ画像の縦横サイズ。
【００４４】
指定解像度：ダウンロードしたコンテンツ画像の解像度。
【００４５】
印刷サイズ：ダウンロードしたコンテンツ画像の縦横サイズと解像度から計算した印刷サイズ。
【００４６】
その他属性：ダウンロードしたコンテンツ画像のメール送信可否やコンテンツデータの有効期限等の属性情報、および取得したＵＲＬ。
【００４７】
また、これらの情報うち印刷回数や最終印刷日時は実際に印刷した回数や印刷日時がコンテンツデータを印刷する都度更新されて格納される。
【００４８】
以上のように本実施例におけるファクシミリ装置ではメモリにダウンロードの際に取得したコンテンツの情報等を管理しており、ユーザーがコンテンツデータに対して所望の操作を行う際に参照され動作の可否が決定される。
【００４９】
ここでユーザーが端末内のコンテンツデータの詳細情報を確認する場合の操作手順を図５、図６を用いて説明する。
【００５０】
まず端末の表示部にて詳細情報を確認する場合について図５に端末の画面表示の遷移を示す。
【００５１】
（５０１）はプリント用のコンテンツ一覧である「プリントメモ」を画面に表示し、ユーザーが所望のコンテンツを選択している状態である。この状態で本実施例では画面下部にソフトウェアマルチキーとして「一覧プリント」、「詳細表示」、「メニュー」、「戻る」が配置されている。「戻る」は表示を待機状態に戻すキーである。「メニュー」については図示しないが、プリントメモ内の全てのデータ消去や選択したコンテンツデータについての消去、保護等の詳細な機能メニューが含まれている。また「一覧プリント」については後述する。ここで「詳細表示」が選択されると（５０２）に向かい選択されたコンテンツデータの詳細表示を行う。
【００５２】
（５０２）では選択されたコンテンツデータのファイル名、ダウンロード日時、取得したＵＲＬ、ファイルサイズ、プリント回数等の情報が表示される。言うまでも無いがこれらの情報は図４において示したコンテンツの管理情報を参照して表示される。また、マルチキー「プリント」がここで押下されると当該コンテンツデータのプリントを開始する。
【００５３】
次にコンテンツ一覧のプリントについて述べる。前記「プリントメモ」表示中、マルチキー「一覧プリント」が押下されるとコンテンツ一覧のプリント動作に移行する。動作フローについて図６を用いて述べる。
【００５４】
コンテンツ一覧プリントは前記コンテンツ管理情報を参照して各コンテンツデータの詳細情報を所定のフォーマットで記録紙にプリントするものである。
【００５５】
（６０１）でコンテンツ一覧を表示中、ユーザー操作により（６０２）でプリント一覧のプリント要求があった場合、（６０３）でインデックス番号を格納する変数ｉを０に初期化する。（６０４）で図４に示したコンテンツ管理情報からインデックス番号ｉのコンテンツデータの詳細情報を読み出す。（６０５）でコンテンツファイル名、ダウンロード日時、取得したＵＲＬ、ファイルサイズ、プリント回数等の情報が読み出され印字データに変換され、次のコンテンツの詳細情報を取得するために（６０６）で変数ｉをインクリメントし、（６０７）で全てのコンテンツデータ数Ｎと比較する。（６０７）でＮを超えてない場合は次のコンテンツが存在するとみなし図中Ａに向かい再び上記動作フローに従う。こうして一連の処理を繰り返し、（６０７）で変数ｉがＮを超えた場合には（６０８）で読み出したすべてのコンテンツの詳細情報をプリント出力する。
【００５６】
図７は本実施例で用いたファクシミリ装置における、印刷用コンテンツデータの一覧プリントのイメージ図である。
【００５７】
(その他の実施例)
前述の実施例では印刷用コンテンツデータだけに着目したコンテンツ一覧プリントを説明したが、インターネットを介してダウンロードされるコンテンツとしては着信メロディなどもある。このように複数種類のコンテンツデータをダウンロードできるような情報通信端末の場合、複数種類のコンテンツデータについてそれぞれの詳細情報を表示したり一覧をプリントしたりすることが可能な構成をとることは使用者にとってより望ましいと言える。
【図面の簡単な説明】
【００５８】
【図１】本発明におけるファクシミリ装置の内部構成を示す図。
【図２】本システムの構成、およびコンテンツのダウンロード処理のシーケンス図
【図３】メモリ構成を示した図
【図４】コンテンツの管理情報を示した図
【図５】コンテンツの詳細表示の画面フロー
【図６】コンテンツ一覧プリントの動作フロー
【図７】印刷用コンテンツデータの一覧プリントのイメージ図
【図１】
2005094285.tif 000003
【図２】
2005094285.tif 000004
【図３】
2005094285.tif 000005
【図４】
2005094285.tif 000006
【図５】
2005094285.tif 000007
【図６】
2005094285.tif 000008
【図７】
2005094285.tif 000009